(57)【要約】【課題】外部コネクタの着脱時に懸念される取付板の撓みを安価に抑制できて、同軸コネクタの芯線と回路基板との接続の信頼性を高めた高周波ユニットを提供すること。【解決手段】高周波回路部が形成された回路基板１と、複数の側壁２ａによって回路基板１を包囲している枠状のシールドケース２と、回路基板１上の空間を仕切る仕切り壁３と、回路基板１に対向して配置された矩形状の金属板でその外縁部のうち３つの辺縁部が２つの側壁２ａと仕切り壁３に支持されている取付板４と、取付板４に固着されて外方へ突出する同軸コネクタ５と、シールドケース２の上部開放端を蓋閉する板金カバー６とを備え、同軸コネクタ５から回路基板１側へ延びる芯線５ａが前記高周波回路部に接続されている高周波ユニットであって、取付板４の残り１つの辺縁部に側板４ａを回路基板１側へ向けて折り曲げ形成した。【選択図】図２
2009290085.tif 000002
【特許請求の範囲】
【請求項１】
複数の側壁によって回路基板を包囲する枠状のシールドケースと、前記回路基板上の空間を仕切る仕切り壁と、この仕切り壁と前記シールドケースの側壁とで支持された金属板製の取付板と、この取付板に固着されて外方へ突出する同軸コネクタとを備え、前記同軸コネクタから前記回路基板側へ延びる芯線が該回路基板の高周波回路部に接続されている高周波ユニットであって、
前記取付板の外縁部のうち、前記側壁と前記仕切り壁に支持されていない辺縁部に、前記回路基板側へ折り曲げられた側板が延在していることを特徴とする高周波ユニット。
【請求項２】
請求項１の記載において、矩形状をなす前記取付板の３つの辺縁部が前記シールドケースの隣接する２つの側壁と前記仕切り壁とで支持されており、前記取付板の残り１つの辺縁部に前記側板が延在していることを特徴とする高周波ユニット。
【請求項３】
請求項１または２の記載において、前記取付板の前記側板が脚片を有し、この脚片が前記回路基板の接地回路部に半田付けされていることを特徴とする高周波ユニット。
【請求項４】
請求項１〜３のいずれか１項の記載において、前記同軸コネクタを貫通させる貫通孔を有し前記取付板とオーバーラップして前記シールドケースの開放端を蓋閉する板金カバーを備え、この板金カバーに、前記貫通孔の周縁に延在して前記取付板側へ折り曲げられた突堤部を設けて、この突堤部が前記取付板に圧接されるようにしたことを特徴とする高周波ユニット。
【発明の詳細な説明】
【技術分野】
【０００１】
本発明は、回路基板を包囲するシールドケースの側壁等に支持されて回路基板と対向する取付板に同軸コネクタが固着されており、この同軸コネクタに外部コネクタが着脱できるようになっている高周波ユニットに関するものである。
【背景技術】
【０００２】
この種の高周波ユニットでは、シールドケースの側壁から回路基板に沿って延出する取付板の外縁部が該側壁や仕切り壁に支持されているため、この取付板に固着された同軸コネクタも安定的に支持されている。仕切り壁は回路基板上の空間を仕切る金属平板でシールドケースの側壁に固定されている。また、回路基板にはチューナ回路等の高周波回路部が形成されており、同軸コネクタから回路基板側へ延びる芯線がこの高周波回路部の接続ランドに半田付けされている（例えば、特許文献１参照）。
【０００３】
特許文献１に示されている従来技術では、矩形状をなす取付板の全ての外縁部（４辺）をシールドケースの３つの側壁と仕切り板とで支持するという構成になっている。この場合、取付板の長手寸法がシールドケースの１つの側壁の長手寸法と同等になるため、面積の大きな取付板となる。
【０００４】
このほか、比較的面積の小さな取付板に同軸コネクタを固着させるという構成の高周波ユニットも多用されている。このものは、シールドケースの１つまたは隣接する２つの側壁と仕切り壁とで取付板の外縁部を支持しているため、取付板を同軸コネクタの外径よりも若干大きい程度の幅狭に形成することができる。
【０００５】
なお、取付板が配置されているシールドケースの開放端は、一般的に、同軸コネクタを貫通させる貫通孔が形成された板金カバーによって蓋閉される。この板金カバーは、取付板とオーバーラップさせた状態でシールドケースを蓋閉し、シールドケースの側壁に嵌着される。
【特許文献１】特許第４０２０７４３号公報
【発明の開示】
【発明が解決しようとする課題】
【０００６】
ところで、この種の高周波ユニットにおいて、取付板に固着されている同軸コネクタに外部コネクタを着脱させる際には、取付板に比較的大きな曲げ応力が作用する。特許文献１に示されている従来技術では、矩形状の取付板の外縁部が全周に亘ってシールドケースの側壁と仕切り板とで支持されているため、外部コネクタの着脱時に取付板が大きく変形する可能性は低いが、取付板の面積が大きいため若干の撓みは避けられない。そして、外部コネクタの着脱時に取付板が撓むと、同軸コネクタの芯線を回路基板に対して押し込んだり引っ張ったりする外力が生じるため、芯線と回路基板との接続部位が破断する虞があった。
【０００７】
また、シールドケースの１つまたは隣接する２つの側壁と仕切り壁とで取付板の外縁部を支持している従来の高周波ユニットの場合、取付板の外縁部に撓みやすい辺縁部が存するため、外部コネクタの着脱時に取付板が撓んで同軸コネクタの芯線と回路基板との接続部位が破断する虞があった。
【０００８】
本発明は、このような従来技術の実情に鑑みてなされたもので、その目的は、外部コネクタの着脱時に懸念される取付板の撓みを安価に抑制でき、同軸コネクタの芯線と回路基板との接続の信頼性を高めた高周波ユニットを提供することにある。
【課題を解決するための手段】
【０００９】
上記の目的を達成するため、本発明は、複数の側壁によって回路基板を包囲する枠状のシールドケースと、前記回路基板上の空間を仕切る仕切り壁と、この仕切り壁と前記シールドケースの側壁とで支持された金属板製の取付板と、この取付板に固着されて外方へ突出する同軸コネクタとを備え、前記同軸コネクタから前記回路基板側へ延びる芯線が該回路基板の高周波回路部に接続されている高周波ユニットにおいて、前記取付板の外縁部のうち、前記側壁と前記仕切り壁に支持されていない辺縁部に、前記回路基板側へ折り曲げられた側板が延在しているという構成にした。
【００１０】
このように構成された高周波ユニットでは、取付板の外縁部のうち、シールドケースの側壁と仕切り壁とに支持されていない辺縁部に延在する側板が補強リブとして機能するため、比較的面積が小さくて撓みにくい取付板に同軸コネクタを固着することができる。それゆえ、外部コネクタの着脱時に懸念される取付板の撓みを安価に抑制できて、同軸コネクタの芯線と回路基板との接続の信頼性が高まる。また、かかる側板を取付板に付設することによって、同軸コネクタの芯線を該側板とシールドケースの側壁と仕切り壁とで包囲することができるため、芯線に対するシールド効果が高まってＲＦ信号がノイズの影響を受けにくくなる。
【００１１】
上記の構成の高周波ユニットにおいて、矩形状をなす取付板の３つの辺縁部がシールドケースの隣接する２つの側壁と仕切り壁とで支持されており、取付板の残り１つの辺縁部に側板が延在していると、取付板の機械的強度が高まり撓みにくくなるため好ましい。
【００１２】
また、上記の構成の高周波ユニットにおいて、取付板の側板が脚片を有し、この脚片が回路基板の接地回路部に半田付けされていると、側板が脚片を介して回路基板に保持されるため取付板が一層撓みにくくなる。また、側板が脚片を介して接地回路部と導通されるため、芯線に対するシールド効果が一層高まる。
【００１３】
また、上記の構成の高周波ユニットにおいて、同軸コネクタを貫通させる貫通孔を有し取付板とオーバーラップしてシールドケースの開放端を蓋閉する板金カバーを備え、この板金カバーに、前記貫通孔の周縁に延在して取付板側へ折り曲げられた突堤部を設けて、この突堤部が取付板に圧接されるようにしてあると、内部高周波やその高調波が板金カバーの貫通孔から漏洩して同軸コネクタに悪影響を及ぼす危険性が少なくなると共に、突堤部によって板金カバーの機械的強度を高めることができる。なお、取付板は撓みにくくしてあるため、突堤部は取付板に食い込むように圧接することになる。
【発明の効果】
【００１４】
本発明の高周波ユニットは、取付板の外縁部のうち、シールドケースの側壁と仕切り壁とに支持されていない辺縁部に延在する側板が補強リブとして機能するため、比較的面積が小さくて撓みにくい取付板に同軸コネクタを固着することができる。それゆえ、外部コネクタの着脱時に懸念される取付板の撓みを安価に抑制できて、同軸コネクタの芯線と回路基板との接続の信頼性が高まる。また、同軸コネクタの芯線を取付板の側板とシールドケースの側壁と仕切り壁とで包囲することができるため、芯線に対するシールド効果が高まってＲＦ信号がノイズの影響を受けにくくなる。
【発明を実施するための最良の形態】
【００１５】
発明の実施の形態を図面を参照して説明すると、図１は本発明の第１実施形態例に係る高周波ユニットを板金カバーを省略して示す要部平面図、図２は図１のＡ−Ａ線に沿う断面図、図３は図１のＢ−Ｂ線に沿う断面図である。
【００１６】
これらの図に示す高周波ユニットは、チューナ回路等の高周波回路部が形成された回路基板１と、４つの側壁２ａ（ただし１つの側壁は図示せず）で回路基板１を包囲している枠状のシールドケース２と、回路基板１上の空間を仕切っている仕切り壁３と、回路基板１に対向して配置されて外縁部が側壁２ａや仕切り壁３に支持されている取付板４と、この取付板４に固着されて外方へ突出する同軸コネクタ５と、シールドケース２の上部開放端を蓋閉する板金カバー６と、シールドケース２の下部開放端を蓋閉する下カバー７とを備えて概略構成されている。
【００１７】
シールドケース２と板金カバー６および下カバー７は金属板をプレス加工して形成されており、これらを組み合わせることによって回路基板１をほぼ完全に覆う筐体が構成されている。また、仕切り壁３はシールドケース２に固定された金属平板で、回路基板１上に複数枚の仕切り壁３が立設されている。
【００１８】
取付板４は、シールドケース２の１つの側壁２ａから回路基板１に沿って延出する矩形状の金属板で、その外縁部のうち３つの辺縁部が隣接する２つの側壁２ａと仕切り壁３とに支持されている。また、取付板４の残り１つの辺縁部には、回路基板１側へ折り曲げられた金属片からなる側板４ａが延在している。
【００１９】
取付板４に固着された同軸コネクタ５は、その芯線５ａが回路基板１側へ延びて高周波回路部の接続ランドに半田付けされている。また、同軸コネクタ５の外部導体は取付板４に半田付けされている。この同軸コネクタ５には図示せぬ外部コネクタが装着される。
【００２０】
板金カバー６には、同軸コネクタ５を貫通させる貫通孔６ａと、貫通孔６ａの周縁に延在して取付板４側へ折り曲げられた突堤部６ｂと、シールドケース２の側壁２ａに係合させるための複数の係合突起６ｃとが設けられている。この板金カバー６は係合突起６ｃを側壁２ａに係合させることによってシールドケース２に嵌着され、取付板４とオーバーラップした板金カバー６によってシールドケース２の上部開放端が蓋閉されるようになっている。また、こうして板金カバー６をシールドケース２に嵌着させると、突堤部６ｂが取付板４に圧接されるようになっている。
【００２１】
このように本実施形態例に係る高周波ユニットでは、矩形状をなす取付板４の外縁部（４辺）のうち、２つの側壁２ａと仕切り壁３とに支持されていない残余の辺縁部に側板４ａが折り曲げ形成してあり、この側板４ａが補強リブとして機能するため、比較的面積が小さくて撓みにくい取付板４に同軸コネクタ５を固着することができる。したがって、外部コネクタを同軸コネクタ５に着脱させる際に懸念される取付板４の撓みを効果的に抑制できて、同軸コネクタ５の芯線５ａと回路基板１の高周波回路部との接続の信頼性が高まっている。また、プレス加工によって取付板４の辺縁部に側板４ａを容易に形成できるため、製造コストを押し上げる虞もない。さらに、こうして取付板４に側板４ａが延在していると、同軸コネクタ５の芯線５ａを側板４ａと２つの側壁２ａと仕切り壁３とで包囲することができるため、芯線５ａに対するシールド効果が高まってＲＦ信号がノイズの影響を受けにくくなる。
【００２２】
また、本実施形態例に係る高周波ユニットでは、シールドケース２の上部開放端を蓋閉する板金カバー６に、貫通孔６ａの周縁に延在する突堤部６ｂが設けてあり、この突堤部６ｂを取付板４に圧接させているため、内部高周波やその高調波が貫通孔６ａから漏洩して同軸コネクタ５に悪影響を及ぼす危険性が少なく、突堤部６ｂによって板金カバー６の機械的強度も高まっている。なお、前述したように取付板４は撓みにくくしてあるため、突堤部６ｂは取付板４に食い込むように圧接する。
【００２３】
図４は本発明の第２実施形態例に係る高周波ユニットの要部断面図であって、図２と対応する部分には同一符号が付してあるため、重複する説明は省略する。
【００２４】
この第２実施形態例は、取付板４の辺縁部から垂下する側板４ａに回路基板１を貫通する直線状の脚片４ｂを突設し、この脚片４ｂを回路基板１の下面に形成されている接地回路部に半田付けした点が、前述した第１実施形態例と大きく異なっている。こうすることによって、側板４ａが脚片４ｂを介して回路基板１に保持されるため、取付板４が一層撓みにくくなる。また、取付板４の側板４ａが脚片４ｂを介して接地回路部と導通されるため、芯線５ａに対するシールド効果が一層高まる。
【００２５】
図５は本発明の第３実施形態例に係る高周波ユニットの要部断面図であって、図２および図４と対応する部分には同一符号が付してあるため、重複する説明は省略する。
【００２６】
この第３実施形態例は、取付板４の辺縁部から垂下する側板４ａに回路基板１上に搭載されるＬ字形状の脚片４ｃを突設し、この脚片４ｃを回路基板１の上面に形成されている接地回路部に半田付けした点が、前述した第２実施形態例と異なっている。したがって、この第３実施形態例においても、取付板４の側板４ａが脚片４ｃを介して回路基板１に保持されるため、取付板４が一層撓みにくくなり、かつ、側板４ａが脚片４ｃを介して接地回路部と導通されるため、芯線５ａに対するシールド効果が一層高まる。
【図面の簡単な説明】
【００２７】
【図１】本発明の第１実施形態例に係る高周波ユニットを板金カバーを省略して示す要部平面図である。
【図２】図１のＡ−Ａ線に沿う断面図である。
【図３】図１のＢ−Ｂ線に沿う断面図である。
【図４】本発明の第２実施形態例に係る高周波ユニットの要部断面図である。
【図５】本発明の第３実施形態例に係る高周波ユニットの要部断面図である。
【符号の説明】
【００２８】
１  回路基板
２  シールドケース
３  仕切り壁
４  取付板
４ａ  側板
４ｂ，４ｃ  脚片
５  同軸コネクタ
５ａ  芯線
６  板金カバー
６ａ  貫通孔
６ｂ  突堤部
【図１】
2009290085.tif 000003
【図２】
2009290085.tif 000004
【図３】
2009290085.tif 000005
【図４】
2009290085.tif 000006
【図５】
2009290085.tif 000007